(57)【要約】【構成】  情報信号の発生手段２，３により発生した日付や時刻、タイムコードなどの情報信号を多重手段７により映像信号に多重し、磁気テープ１１に記録するとともに、発生した情報信号をメモリ２０に記憶する。メモリ２０から読み出した情報信号を、文字信号発生回路１９により文字信号に置き換えて、加算手段１８により映像信号に加算して出力して、テープ別に一覧表示する。【効果】  使用者はテープをＶＴＲに挿入・再生しなくても、記録内容を知ることができる。また、一覧表示から番組を選択して、容易に録画予約や番組頭出しが行なえる。【選択図】  図１
2010020895.tif 000002
【特許請求の範囲】
【請求項１】
映像信号と情報信号とを磁気テープに記録し再生することができる磁気記録再生装置において、
上記情報信号を磁気テープに記録する際に該情報信号を記憶するメモリ手段と、磁気テープから再生した上記情報信号に基づいてテープを識別する識別手段と、上記メモリ手段から読み出した上記情報信号をテープ別に一覧表示する表示手段と、を有することを特徴とする磁気記録再生装置。
【請求項２】
請求項１記載において、
上記情報信号は、記録する映像信号の内容を示す情報と磁気テープの記録位置とを示す情報であって、使用者が上記表示手段により表示された映像信号の内容一覧表示を参照して希望の映像の内容を指定する指定手段と、該指定手段により選択された内容の映像の記録位置を検索して再生する手段と、を有することを特徴とする磁気記録再生装置。
【請求項３】
映像信号と情報信号とを磁気テープに記録し再生することができ、上記情報信号を磁気テープに記録する際に該情報信号を記憶するメモリ手段と、該メモリ手段から読み出した上記情報信号を一覧表示する表示手段と、を有する磁気記録再生装置であって、
上記メモリ手段に記憶する上記情報信号は、記録の日付あるいは曜日，時刻，放送チャンネル，タイトルや記録モードなど記録条件を示す情報であり、使用者が上記表示手段により一覧表示される過去の記録条件を参照してその中から希望の記録条件を指定する指定手段と、該指定手段により指定された記録条件に基づいて記録を行なう手段と、を有することを特徴とする磁気記録再生装置。
【請求項４】
入力される映像信号を磁気テープに記録し再生することができる磁気記録再生装置において、
上記入力される映像信号に情報信号が多重されているか否かを検出する検出手段と、上記情報信号を発生する情報信号発生手段と、該情報信号発生手段からの情報信号を上記入力される映像信号に多重する多重手段と、上記情報信号の上記入力される映像信号への多重処理を上記検出手段の検出結果に基づいて制御する手段と、を有し、
上記入力される映像信号に情報信号が多重されてない場合には、上記情報信号発生手段により発生した情報信号を、記録する映像信号入力に多重することを特徴とする磁気記録再生装置。
【発明の詳細な説明】
【技術分野】
【０００１】
本発明は、複数の磁気テープに記録された内容を管理し、検索および録画予約を容易にした磁気記録再生装置に関する。
【背景技術】
【０００２】
従来、磁気記録再生装置（以下、ＶＴＲと記す）で映像や音声を記録した磁気テープ（以下、単にテープと記す）を管理する手法は、記録内容などを書き込んだインデックスラベルを貼り付けて管理するのが一般的であった。また、複数の番組が一本のテープに記録されている場合に、見たい番組の頭出し再生（テープを早送りまたは巻戻して見たい番組の冒頭部分を探し出し、再生すること）を行なうシステムの例として、ＶＩＳＳ(VHS Index Search System )などがよく知られている。これはテープに記録されている頭出し信号の数をカウントしながら、テープを巻き戻しあるいは早送りし、所望のカウント数に達したときにテープを再生するものである。
【０００３】
また、ＶＴＲに挿入されたテープの内容を表示するものとして特許文献１に記載の技術がある。これはテープをＶＴＲから取り出す時に、そのテープの記録内容を示す情報（各番組の番号とその番組開始位置，番組終了位置，入力信号種別，記録日時，記録時間，録画モード，コメント等）をテープ上のサブコードエリアに記録し、再生時にはこの情報を再生して表示するものである。
【０００４】
さらにまた、複数のテープの記録内容を、テープをＶＴＲに挿入しなくとも表示できるＶＴＲも製品化されている（松下（株）製；ＮＶ−ＢＸ２５）。これは、録画時にＶＴＲ
本体にテープ毎の記録内容を記憶しておき、再生時には各テープに貼り付けたバーコードのラベルによりテープ番号を識別して、メモリからそのテープの記録内容を呼び出して表示し、上記したＶＩＳＳにより頭出しを行なうものである。
【０００５】
なお、録画したい番組を予約する録画予約を行なうためには、録画したい日付または曜日，チャンネル，録画時間，録画モードなどを使用者が入力するか、Ｇコードと呼ばれる番組固有の番組コードを入力する方法が一般的である。
【先行技術文献】
【特許文献】
【０００６】
【特許文献１】特開昭６４−１３２７８号公報
【発明の概要】
【発明が解決しようとする課題】
【０００７】
ところで、上述したインデックスラベルに記録内容を書き込んでテープを管理する従来手法は面倒である上、録画をやり直した場合にはインデックスラベルを書き直す必要がある。またＶＩＳＳなどの方法を利用して頭出しを行なう場合には、見たい番組がそのテープの何番目に記録されているかを覚えておくか、もしくはインデックスラベルに書いておく必要があり、使い勝手が悪いという問題がある。
【０００８】
また、前記した特開昭６４−１３２７８号公報に開示された技術では、テープ内容を表示させるためには、ＶＴＲにテープをいちいち挿入しなければならないので、複数のテープの中から見たい番組を探すのに手間がかかるという問題がある。
【０００９】
また、前記したバーコードラベルでテープを識別する手法では、バーコードを読み取るための機構や回路が必要となり、コストアップにつながるという問題がある。
【００１０】
さらにまた、録画予約を行なうために、日付，時刻，その他データを使用者がいちいち入力する操作は非常に面倒であり、入力ミスも多いという問題があった。これに対し、前記Ｇコードを入力して録画予約を行なう方法は操作は簡単であるが、Ｇコードが使用者にとっては意味の無いコードであるため、番組コードを付したコード表が別途必要となり、Ｇコードが判らない場合には適用できないという問題がある。
【００１１】
従って、本発明の解決すべき技術的課題は上記した従来技術のもつ問題点を解消することにあり、その目的とするところは、複数のテープの検索や、録画予約が容易に行なえるＶＴＲを提供することにある。
【課題を解決するための手段】
【００１２】
上記の目的を達成するために、本発明では、複数の磁気テープの記録内容を記憶するメモリ手段と、磁気テープに記録された日時，タイムコードに基づきテープ番号を識別し、対応するテープの記録内容を上記メモリ手段から読み出し、表示する手段と、表示した記録内容から選択的に頭出し動作、あるいは番組予約を行なう手段と、を設ける。
【００１３】
本発明では、複数の磁気テープの記録内容をＶＴＲ自身が記憶し、表示することができるので、使用者は各テープの記録内容を容易に知ることができ、この表示された記憶内容を利用して、簡便に番組の頭出しや、録画予約の操作を行なうことができる。
【発明の効果】
【００１４】
本発明によれば、映像信号に日付，時刻，タイトル，タイムコードなどの情報信号を多重してテープに記録するとともに、ＶＴＲ内のメモリにこれらの情報信号を記憶し、目次表示させることができるので、使用者はテープをいちいち挿入して再生することなく、テープに記録されている内容を知ることができる。
【００１５】
また、日付や時刻、あるいはタイムコードなどの情報に基づいてテープ番号を識別するので、従来のようなバーコード読み取り装置などは必要がない。
【００１６】
さらに、目次表示を見ながら番組を選択することで、番組の頭出しや録画予約の入力が行なえるので、これらの操作を簡略化できる。
【００１７】
総じて、テープの管理やテープ内容の検索が容易・確実で、番組の頭出しや録画予約が極めて容易な、使い勝手の良いＶＴＲを実現でき、その価値は多大である。
【図面の簡単な説明】
【００１８】
【図１】本発明の第１実施例に係るＶＴＲの要部回路構成を示すブロック図である。
【図２】本発明の第１実施例によるＶＴＲの全体動作の処理フローチャート図である。
【図３】図２のフローチャートにおける予備再生動作の処理の詳細を示すフローチャート図である。
【図４】図２のフローチャートにおける録画動作の処理の詳細を示すフローチャート図である。
【図５】図１のＶＴＲにおける出力端子３１から出力される表示画面の１例を示す説明図である。
【図６】図２のフローチャートにおける巻き戻し動作の処理の詳細を示すフローチャート図である。
【図７】図２のフローチャートにおける早送り動作の処理の詳細を示すフローチャート図である。
【図８】図２のフローチャートにおける再生動作の処理の詳細を示すフローチャート図である。
【図９】図２のフローチャートにおける録画予約動作の処理の１例の詳細を示すフローチャート。
【図１０】図２のフローチャートにおける録画予約動作の処理の他の１例の詳細を示すフローチャート図である。
【図１１】図２のフローチャートにおける録画予約動作の処理の更に他の１例の詳細を示すフローチャート図である。
【図１２】図２のフローチャートにおける録画予約動作の処理の更に他の１例の詳細を示すフローチャート図である。
【図１３】図２のフローチャートにおける目次作成動作の処理の詳細を示すフローチャート図である。
【図１４】本発明の第２実施例に係るＶＴＲの要部回路構成を示すブロック図である。
【図１５】本発明の第２実施例による録画動作の処理の詳細を示すフローチャート図である。
【図１６】本発明の第２実施例による放送中の番組一覧表示動作の処理の詳細を示すフローチャート図である。
【図１７】本発明の第３実施例に係るＶＴＲの要部回路構成を示すブロック図である。
【発明を実施するための形態】
【００１９】
以下、本発明の各実施例を図１〜図１７を用いて説明する。
【００２０】
先ず、本発明の第１実施例を説明する。図１は本発明の第１実施例に係るＶＴＲの要部回路構成を示すブロック図である。
【００２１】
図１において、１１はテープ（磁気テープ）、９および１０は、テープ１１を巻取るリ
ールである。また、２９はＴＶ放送信号の入力端子、５は該入力端子２９からのＴＶ放送信号を受信するＴＶチューナ、３０は、例えばビデオカメラや他のＶＴＲなどの外部機器からの映像信号の入力端子、６は、チューナ５と入力端子３０からの映像信号を切替えて出力するスイッチ回路であり、１は、チューナ５における選局およびスイッチ回路６の切替えを制御する映像信号入力切替え制御回路である。
【００２２】
２は日付・時刻信号発生回路、３はタイムコード信号発生回路、４は情報信号記録処理回路で、映像信号入力切替え制御回路１からの入力信号の選択情報や、日付・時刻信号発生回路２からの日付・時刻情報、およびタイムコード信号発生回路３からのタイムコード信号を入力とし、これらの情報信号をあらかじめ定めた記録フォーマットに従って出力する。７は情報信号多重回路で、スイッチ回路６からの映像信号の垂直ブランキング期間（
垂直同期信号を含む画像の信号が存在しない期間）に、情報信号記録処理回路４からの情報信号を多重する。
【００２３】
８は映像信号記録・再生処理回路で、記録時には、情報信号多重回路７からの映像信号を周波数変換して記録可能な信号に変換するとともに、再生時には、再生信号を逆周波数変換する。１２および１３は磁気ヘッドで、映像信号記録・再生処理回路８からの記録電気信号を磁気信号に変換してテープ１１に記録し、また、テープ１１からの再生磁気信号を電気信号に変換して映像信号記録・再生処理回路８に出力する。
【００２４】
１５はスイッチ回路で、映像信号記録・再生処理回路８へ入力される記録映像信号と、同回路８より出力される再生映像信号とを切り替えて出力する。３３は画面全体を青一色とする信号を発生するブルーバック発生回路、３２はスイッチ回路で、スイッチ回路１５からの出力とブルーバック回路３３からの出力とを切り替えて出力する。１９は文字信号発生回路、１８は文字信号加算回路で、スイッチ回路３２からの映像信号に文字信号発生回路１９からの文字信号を加算する。３１は文字信号加算回路１９からの映像信号を出力する出力端子である。
【００２５】
１６は映像信号有無検出回路で、スイッチ回路１５からの出力信号を入力とし、映像信号の有無を検出する。１７は情報信号再生処理回路で、同じくスイッチ回路１５からの出力信号を入力とし、スイッチ回路１５からの映像信号に多重されている情報信号を読み取り出力する。
【００２６】
２２はコントロール信号記録処理回路で、テープ１１の走行を制御するためのコントロール信号を発生し、このコントロール信号のパルス幅を変化させることにより頭出し信号などの情報を付加する。１４はコントロール信号を記録・再生するコントロールヘッドである。２３はコントロール信号再生処理回路で、再生されたコントロール信号を読み取り
、頭出し信号などの付加された情報を判別する。２１はスイッチ回路で、コントロール信号の記録時には、コントロール信号記録処理回路２２からの記録コントロール信号をコントロールヘッド１４へ出力し、また、コントロール信号の再生時には、コントロールヘッド１４からの再生コントロール信号をコントロール信号再生処理回路２３へ出力する。
【００２７】
２４はテープ１１が本ＶＴＲに挿入されたことを検出するテープ挿入検出回路、２５はリール９および１０の回転数を検出するリール回転数検出回路、３７は誤消去防止モード検出回路で、本ＶＴＲに挿入されたテープ１１が誤消去防止モードであるかどうかを、テープケース（図示していない）にあるツメの切取り、あるいはスライド式のふたの開閉等により検出する。また、２７は本ＶＴＲの使用者が本ＶＴＲの動作を操作するための操作部、２８は本ＶＴＲの動作状態などを使用者に知らせるための表示部である。
【００２８】
２６は全体制御を司るシステムコントロール回路で、このシステムコントロール回路２６は本ＶＴＲの各部の動作をコントロールするとともに、現在の時刻と日付情報を発生する時計およびカレンダー機能を有したものとなっている。また、２０はメモリで、システムコントロール回路２６の制御のもとに各種情報データを読み書きできるようになっている。なお、メモリ２０やシステムコントロール回路２６を含めた必要最小限の回路要素には、主電源の遮断時にもスリープモード用のサブ電源等により電源電流が供給されるようになっている。なおまた、メモリ２０は、バッテリーバックアップされたＲＡＭ，ＥＥＰＲＯＭ等の不揮発性半導体メモリ手段とされることがより望ましい。
【００２９】
なお本実施例においては、発生されるタイムコードはテープの巻頭部分でリセットされ
、テープの走行時間に対応して時・分・秒・フレーム番号を表す値をとるものとする。
【００３０】
ここで、映像信号の垂直ブランキング期間に情報信号を多重する技術としては、例えば業務用ＶＴＲにおけるタイムコード（ＶＩＴＣ；Vertical Interval Time Code ）や文字放送、あるいはレーザーディスクにおけるチャプター情報など、すでに多くの技術が一般に知られているので、ここではその詳細な説明は省略する。
【００３１】
次に本実施例の動作を、図２のフローチャートを用いて説明する。
【００３２】
図２は本実施例の動作全体を示すフローチャートであり、この全体の処理の流れはシステムコントロール回路２６により制御される。先ず、本実施例のＶＴＲにより、全く信号が記録されていない状態のテープ１１へ記録を行う場合の動作について説明する。
【００３３】
ステップＳＴ１において、先ず使用者が電源の投入を指示すると、システムコントロール回路２６は本ＶＴＲの電源投入を行う。本ＶＴＲの購入時には、メモリ２０にはデータが書き込まれていないので、使用者はステップＳＴ２において全目次表示の要求はせず、従ってシステムコントロール回路２６はステップ３の全目次表示処理は行わず、ステップＳＴ４に処理を移す。さらに、最初は本ＶＴＲにテープ１１は挿入されていないので、システムコントロール回路２６は処理をステップＳＴ５に進める。使用者によりテープ１１が本ＶＴＲに挿入されると、テープ挿入検出回路２４がそれを検出し、それを受けてシステムコントロール回路２６は、予備再生（ステップＳＴ６）および情報信号の検出（ステップＳＴ７）を行う。
【００３４】
ここで、予備再生（ステップＳＴ６）について説明する。図３は、上記ステップＳＴ６の予備再生処理の詳細を示すフローチャートであり、これは後述する図２のステップＳＴ１０，ＳＴ３０，ＳＴ３３の予備再生処理にも共通の処理である。
【００３５】
予備再生処理が開始されると、まずテープ再生のための走行が開始される（ステップＳＴ３０１）。なお、テープ走行のためのメカニズム部は図１には図示していない。磁気ヘ
ッド１２及び１３がテープ１１から再生した信号は、映像信号記録・再生処理回路８により再生処理がなされ、情報信号再生処理回路１７により情報信号が抽出され、システムコントロール回路２６へと出力される。ステップＳＴ３０２の処理において、システムコントロール回路２６は、情報信号再生処理回路１７からの再生された情報信号を読み取る。またこの時、システムコントロール回路２６はスイッチ回路３２を制御し、画面全体を青一色とするブルーバック信号を、ブルーバック発生回路３３から文字信号加算回路１８を介して出力端子３１に出力する。したがって、予備再生処理によって再生された映像信号は、出力端子３１には出力されない。何となれば、予備再生動作は情報信号を読み取ることを目的としているので映像信号を出力する必要はなく、これにより使用者に不必要な映像を見せ違和感を与えることがないようにしている。
【００３６】
情報信号を読み取った結果、再生信号にタイムコードが多重されている場合には、システムコントロール回路２６は、読み取ったタイムコード値をタイムコード信号発生回路３にプリセットする（ステップＳＴ３０３，ＳＴ３０４）。再生信号にタイムコードが多重
されていない場合には、システムコントロール回路２６は、リール回転数検出回路２５の出力情報たるリール回転数からテープ走行時間を計算し、この値をタイムコードに換算してタイムコード信号発生回路３にプリセットする（ステップＳＴ３０３，ＳＴ３０５）。
この際、リール回転数からの計算値がタイムコードに比べて精度が悪ければ、例えばフレーム数までは計算せず、時，分，秒の値をプリセットするようにすればよい。
【００３７】
予備再生動作をあらかじめ定められた一定期間（例えば１秒間）行なったら、システムコントロール回路２６は自動的にテープ走行を終了する（ステップＳＴ３０６，３０７）
。
【００３８】
以上の動作により、現在のテープ位置の情報信号を読み取ることができ、また、タイムコード信号発生回路３がプリセットされる。例えば、挿入されたテープに既に映像信号およびタイムコードを含む情報信号が記録されており、このテープに続けて番組を録画する場合には、予備再生でプリセットされたタイムコード値から連続したタイムコード値が発生され記録されるので、タイムコードの連続性が保たれる。また、タイムコードが記録されていない部分に録画をする場合には、テープ走行時間に対応したタイムコード値が記録されるので、例えば１本のテープ上に無記録部分をはさんで複数の番組が記録されるような場合でも、タイムコードの値が重複することがない。
【００３９】
図２のステップＳＴ７において、システムコントロール回路２６は上述したステップＳＴ６の予備再生動作の結果、情報信号が検出されたか否かを判定し、検出されていなければ処理をステップＳＴ５０に移す。ステップＳＴ５０では、映像信号有無検出回路１６が映像信号が再生されているか否か検出し、その結果をシステムコントロール回路２６に出力する。そして、システムコントロール回路２６は予備再生の結果、映像信号有無検出回路１６により映像信号が検出されたか否かを判定する。ステップＳＴ５０において映像信号が検出された場合には、処理はステップＳＴ１４に移る。ステップＳＴ５０において映像信号が検出されない場合には、自動的にテープを巻頭へ巻き戻して予備再生（ステップＳＴ１０）及び情報信号の検出（ステップＳＴ１１）を行う。ここでも情報信号が検出されなければ、システムコントロール回路２６はステップＳＴ１４において、誤消去防止モード検出回路３７の出力により、挿入されたテープ１１が誤消去防止モードになっているか否かの検出を行う。
【００４０】
無記録のテープでは情報信号および映像信号は検出されず、誤消去防止モードにもなっていないので、システムコントロール回路２６は処理をステップＳＴ１８に進める。新しいテープに初めて記録を行おうとする場合には、記録を行なう前にステップＳＴ１８において、使用者はテープ登録を指示する。これを受けシステムコントロール回路２６は処理をステップＳＴ１９に移し、挿入されているテープ１１に対するテープ番号としてこれまでにまだ使っていない最も小さい数字を割り当てる。ここでは本ＶＴＲの最初のテープであるから番号「１」が割り当てられる。テープ１１は無記録のテープであるから、使用者はステップＳＴ２０の目次の作成処理は行なわず、処理はステップＳＴ２６に進められる
。
【００４１】
ステップＳＴ２６からステップＳＴ３９までは、使用者の指示により選択的に行われる処理である。使用者が操作部２７により、再生，もしくは巻き戻し，もしくは早送り，もしくは録画予約，もしくはタイトル入力，もしくは録画の指示を行うと、それぞれステップＳＴ２６，ＳＴ２８，ＳＴ３１，ＳＴ３４，ＳＴ３６，ＳＴ３８において各指示の入力が検出され、ステップＳＴ２７，もしくはＳＴ２９とＳＴ３０，もしくはＳＴ３２とＳＴ３３，もしくはＳＴ３５，もしくはＳＴ３７，もしくはＳＴ３９において、それぞれの処理が行われる。
【００４２】
本実施例では、使用者は録画する番組のタイトルを入力することができる（ＳＴ３６とＳＴ３７）。すなわち、使用者によりタイトル入力が操作部２７から指示された場合には
、ステップＳＴ３６によりそれが検出され、操作部２７によって入力されたタイトルが、一旦システムコントロール回路２６内に保持される（ステップＳＴ３７）。
【００４３】
また図２には示していないが、本実施例においては、上記番組のタイトルの入力と同様にして、番組のジャンルを使用者が入力することもできるようにしている。この場合は、使用者が操作部２７からジャンル入力を指示すると、システムコントロール回路２６は、予め定めた番組のジャンルの一覧（例えばスポーツ，音楽，映画，教養，バラエティ，ドキュメンタリーなど）を表示部２８に表示するか、もしくは、文字信号発生回路１９と文字信号加算回路１８により出力映像信号にスーパインポーズしてジャンルの一覧をモニタに表示する。これにより、使用者は表示されたジャンル一覧表の中から、希望のジャンルを操作部２７によって選択する。そして、システムコントロール回路２６は、選択されたジャンルを番組データの一つとして保持しておくようにされる。
【００４４】
システムコントロール回路２６に保持された番組のタイトルやジャンルは、その番組の録画前であれば、録画時に番組データの一部としてメモリ２０に記憶する。番組の録画後であれば、メモリ２０に記憶されている該当する番組データに付加的に記憶する。これにより、使用者は番組の録画前にタイトルやジャンルを入力する時間がない場合は、番組の録画後にこれらの入力を行なえる。
【００４５】
使用者により録画の指示が操作部２７から入力されると、ステップＳＴ３８においてシステムコントロール回路２６はそれを検出し、録画処理を行う（ステップＳＴ３９）。こ
こで、この録画処理について説明する。
【００４６】
図４は、上記ステップＳＴ３９の録画処理の詳細を示したフローチャートである。記録処理が開始されるとシステムコントロール回路２６の処理により、図２のステップＳＴ１９において既に割り当てられたテープ番号（ここでの説明では前記したように「１」）、
および図２のステップＳＴ３７で既に入力されたタイトル情報やジャンル情報、さらに録画開始時の日時，曜日，タイムコード値，チャンネル等の入力信号の種類、標準あるいは長時間などの録画モードが、メモリ２０に自動的に記憶される（ステップＳＴ４０１）。
なお、必ずしも曜日をメモリ２０に記憶しなくてもよく、日付をメモリ２０から読み出した後に必要に応じて日付から曜日を割り出すものとしてもよい。次に、録画のためのテープ走行が開始されると同時に、タイムコード信号発生回路３によるタイムコードのカウントが開始される。また、システムコントロール回路２６はコントロール信号記録処理回路２２を制御し、コントロールヘッド１４により頭出し信号をテープ上に記録する（ステップＳＴ４０２）。
【００４７】
録画中は、日時，チャンネル等の入力信号の種類、およびタイムコードなどの情報信号を多重した映像信号をテープ１１に記録する（ステップＳＴ４０３）。ステップＳＴ４０
４にて録画終了が指示された場合には、システムコントロール回路２６は、ステップＳＴ４０５の処理によりテープ走行を停止すると同時に、タイムコードのカウント動作を停止させる。続いて、録画終了時のタイムコード値，日時，曜日、およびこれらの数値から計算した録画開始から終了までの時間、およびテープ残量時間をメモリ２０に記憶して（ステップＳＴ４０６）、録画処理を終了する。
【００４８】
図２において、テープをＶＴＲから取り出す場合には、ステップＳＴ４０において使用者は操作部２７からテープ１１の取り出しを指示する。この指示を受け、システムコントロール回路２６はステップＳＴ４１の処理により、テープ１１を取り出すとともに、テープ番号を表示部２８に表示するか、または、文字信号発生回路１９を制御して文字加算回路１８によりテープ番号を映像信号出力にスーパインポーズする。これにより使用者は取り出したテープのテープ番号を知ることができるので、テープを取り出した後、テープ番号をテープケースに書き込んだり番号シールを貼る作業を、容易に行うことができる。
【００４９】
その後、ステップＳＴ４２において、使用者が操作部２７から電源オフを指示すると、システムコントロール回路２６はＶＴＲの電源を切り、すべての処理を終了する。
【００５０】
次に、このようにして複数のテープに録画を行なった後、これを本ＶＴＲにより再生する場合について説明する。
【００５１】
図２のステップＳＴ５において、使用者がテープ１１を挿入したことがテープ挿入検出回路２４により検出されると、それを受けシステムコントロール回路２６は、前記したステップＳＴ６の予備再生処理を行う。その結果、ステップＳＴ７において情報信号が検出されると、システムコントロール回路２６は、情報信号再生処理回路１７において再生された情報信号とメモリ２０に記憶されている情報信号との比較を行い、一致するデータがあるかどうかを検索する。すなわちメモリ２０には、本ＶＴＲで過去に録画した番組の録画開始時の日時とタイムコード，録画終了時の日時とタイムコード，タイトル，チャンネル，録画モード，テープ番号などが記憶されているので、これらと情報信号再生処理回路１７からの出力である再生中の情報信号の日時やタイムコードの値との比較を行ない、該当する番組データがあるかどうかを検索していく（ステップＳＴ８）。
【００５２】
こうして該当する番組が見つかった場合には（ステップＳＴ９）、システムコントロー
ル回路２６は、その番組データのテープ番号をメモリ２０から読み出しテープ番号を識別する（ステップＳＴ１５）。ステップＳＴ６の予備再生時にテープ１１が録画されている
部分よりも先に送られていたため、ステップＳＴ７およびＳＴ５０において情報信号および映像信号が検出されなかったり、ステップＳＴ９において該当する番組が検索されなかったときは、ステップＳＴ１０において、磁気テープ１１は自動的に巻頭まで巻き戻されて、再度予備再生が行われ、ステップＳＴ１２およびＳＴ１３において、ステップＳＴ８およびＳＴ９と同様の検索が再度行われる。これにより、登録済みテープを未登録テープと誤認識することを防ぐことができる。
【００５３】
また、情報信号を多重して記録することができない他のＶＴＲで記録が行なわれたテープを本ＶＴＲで再生した場合には、ステップＳＴ５０にて映像信号が検出され、処理は自動的にステップＳＴ１４に移る。
【００５４】
ステップＳＴ１５においてテープ番号が識別された後は、システムコントロール回路２６はステップＳＴ２３の処理により、テープ番号を表示し、また、メモリ２０に記憶されている同一テープ番号の番組データを目次として一覧表示する。この表示方法は、表示部２８に表示するようにしてもよいし、文字信号発生回路１９と文字信号加算回路１８によって映像信号出力にスーパインポーズしてもよい。
【００５５】
目次に表示する項目としては、各番組のタイトル，ジャンル，録画開始日時，終了日時
，タイムコード値，チャンネル，録画時間，録画モード，無記録部のテープ残量時間などがあり、多くの情報を表示すればするほど使用者はその番組に関する多くの情報を得られる。表示できるエリアに制限がある場合は、これらの情報の中から選択的に表示を行う。図５は目次の表示例である。図５においては、タイトル情報が使用者により入力されている番組については、タイトルと録画した日付，曜日を、タイトル情報が入力されていない番組については、録画開始の日付，曜日と時間、およびチャンネルなどの入力選択情報を表示するようにしている。このような表示を行うようになせば、使用者はタイトルが入力されていない番組についても、その内容を目次表示の日時，曜日，チャンネルから推察することができる。
【００５６】
目次表示が行われたら、使用者はそれを見ながら図２のステップＳＴ２４において、見たい番組を操作部２７によって指定（頭出し番組番号を指定）することができる。システムコントロール回路２６はこれを受け、ステップＳＴ２５の処理において所望の番組の頭出し動作を実行する。
【００５７】
次に、この頭出し動作について詳しく説明する。コントロールヘッド１４からの出力信号は、スイッチ回路２１を介してコントロール信号再生処理２３に供給され、コントロール信号に含まれる各番組の冒頭部分に書き込まれている頭出し信号がシステムコントロール回路２６に出力される。システムコントロール回路２６は、この頭出し信号をカウントしながらテープ１１を早送りあるいは巻戻しする。そしてシステムコントロール回路２６は、予備再生した情報信号とメモリ２０内の番組データとを照合することによって、現在のテープ再生位置が目次表示中のどの番組であるかを判別し、使用者が見たいと希望した番組まで頭出し信号をカウントしながら、必要に応じて磁気テープ１１を早送りあるいは巻き戻しを行い、所望のカウント数に達したところで再生を行う。
【００５８】
頭出し動作の別の方法として、リール回転数検出回路２５からのリール回転数からテープの位置を計算し、所望の位置まで早送りあるいは巻戻しを行なって頭出しする方法もある。また、これらの方法と組み合わせて、テープ上に記録されているタイムコードを利用すればより正確な頭出しが迅速に行える。
【００５９】
頭出しが行われた後は、処理はステップＳＴ２７に移り、自動的に再生が行われる。従って、使用者が表示された目次上で見たい番組を選択するだけで、自動的に頭出し再生が行われる。
【００６０】
使用者がテープ１１の巻き戻しを操作部２７により指示した場合には、システムコントロール回路２６はステップＳＴ２８にてその指示を検出し、ステップＳＴ２９の巻戻しの処理を行なう。図６は、ステップＳＴ２９の巻戻し処理の詳細を示すフローチャートである。ステップＳＴ６０１にてテープの巻戻し動作が開始され、ステップＳＴ６０２にて巻戻し終了が指示されたら、ステップＳＴ６０３にてテープ巻戻し動作を停止する。図２において巻戻し動作終了後、自動的にステップＳＴ３０において、予備再生動作を行ない情報信号を読み取る。
【００６１】
早送りの場合も同様で、図２のステップＳＴ３１，ＳＴ３２，ＳＴ３３において早送り動作および予備再生動作が行なわれる。図７は、ステップＳＴ３２の早送り動作処理の詳細を示すフローチャートである。図７の処理は図６とほぼ同様であり、同図からその処理動作は自明であるのでその説明は省略する。
【００６２】
このように、テープ１１の巻戻し動作および早送り動作の後に、自動的に予備再生を行ない、情報信号を再生してタイムコードや日付等を読み取ることにより、システムコントロール回路２６は、現在のテープ１１の再生位置や番組データを検出できるので、使用者は巻戻しや早送りを行なった後、再生を指示しなくともこれらの情報を知ることができる
。また、その後、続けて目次表示や番組の頭出し再生を行なう場合には、予備再生を行なう必要がないので処理時間を短縮できる。
【００６３】
図２において、使用者がテープ１１の再生を操作部２７により指示した場合には、システムコントロール回路２６はステップＳＴ２６にてその指示を検出し、ステップＳＴ２７にて再生動作を行なう。図８は、このステップＳＴ２７の再生処理の詳細を示すフローチャートである。ステップＳＴ８０１にて再生処理が開始され、使用者が操作部２７から指示することによりステップＳＴ８０２およびＳＴ８０３の処理によって、必要に応じて再生中の番組のタイトルや録画日時，タイムコード値，テープのアドレス情報などの情報信号を、モニタ画面あるいは表示部２８に表示させて見ることができる。また、ステップＳＴ８０４およびＳＴ８０５の処理により、再生しながらそのテープに録画されている内容を目次表示させることが可能である。さらに、ステップＳＴ８０６，ＳＴ８０７，ＳＴ８０８の処理により、続けて頭出し動作を行なうことができる。
【００６４】
図２において、操作部２７により使用者が録画の予約を指示した場合には、システムコントロール回路２６はステップＳＴ３４にてその指示を検出し、処理をステップＳＴ３５に移す。使用者は操作部２７により、録画したい番組の日時，チャンネル，録画モードなどを入力する。この場合、Ｇコードなどの番組コードを入力するものとしてもよい。使用者が録画予約した後は、システムコントロール回路２６は、予約した日時になると録画開始の命令を発生し、ステップＳＴ３８にてその命令を検出し録画動作を開始する。
【００６５】
図９は、上記ステップＳＴ３５の録画予約動作処理の詳細を示すフローチャートである
。使用者は操作部２７によりステップＳＴ９０２において、録画したい日付あるいは曜日
，録画開始時刻，録画時間あるいは録画終了時刻，チャンネル，録画モードなどを入力する。勿論、これらの代わりにＧコードと呼ばれる番組コードを使用者が入力するものとしてもよい。録画予約のためのデータが入力されたら、システムコントロール回路２６はメモリ２０の検索を行ない、入力された曜日，時刻，録画時間が一致する番組データを探す（ステップＳＴ９０３）。
一致する番組データがメモリ２０内に見つかった場合には、その番組のタイトル名を読み出して映像信号出力に重畳して表示するか、表示部２８に出力して表示する（ステップＳＴ９０５）。これにより、使用者は表示されたタイトルが録画予約したい番組のタイトル
と合っていれば、操作部２７によってステップＳＴ９０６においてその旨を指示し、そのタイトルを録画予約データとして登録する（ステップＳＴ９０９）。メモリ２０に一致す
る番組データがない場合、または表示されたタイトルが録画予約したい番組のタイトルと違っている場合には、使用者は操作部２７からステップＳＴ９０７，ＳＴ９０８の処理により、番組タイトルの入力を行なうことになる。
【００６６】
なお、ステップＳＴ９０４の処理において、一致する番組データが複数個検索された場合には、ステップＳＴ９０５においてそれらの番組タイトルを一度に、あるいは順次に表示し、使用者が操作部２７によって所望の番組タイトルを選択できるようにしてもよい。
【００６７】
このように図９の処理によると、同じ曜日の同じ時刻、同じチャンネルの番組に対しては、以前に入力した番組タイトルが自動的に表示されるので、再度これを入力する必要がなく便利である。
【００６８】
図１０は、前記ステップＳＴ３５の録画予約処理の他の１例の詳細を示すフローチャートである。図１０の処理フローでは、ステップＳＴ１００９，ＳＴ１０１０において、使用者は入力した番組タイトルを登録するかどうかを操作部２７より入力できる。使用者が登録を指示した場合には、システムコントロール回路２６は、登録されたことを示す情報（例えば“０”または“１”のフラグ）を番組データに付加し、録画時にメモリ２０に記憶する。次回からのメモリ検索処理ＳＴ１００４では、この登録された番組データについてのみ検索を行なう。なお、その他の処理動作は、図９と同じであるので説明は省略する
。
【００６９】
このように図１０の処理によると、使用者は番組タイトルを登録するか否かを選択できる。従って、例えば毎週連続して放送される番組を録画する場合にはその番組タイトルを登録し、１回限りの放送番組については入力した番組タイトルを登録しない、などの指定ができるので便利である。
【００７０】
図１１は、前記ステップＳＴ３５の録画予約処理の更に他の１例の詳細を示すフローチャートである。図１１の処理フローは、過去に録画した番組の目次表示の中から番組を選択して録画予約を行なうものである。ステップＳＴ１１０１において、使用者が操作部２７により目次画面上での録画予約を行なうことを指示したら、システムコントロール回路２６はステップＳＴ１１０２の処理により、現在挿入されているテープ１１に録画されている番組のデータを、メモリ２０より読み出し目次表示する。使用者はこの目次表示を見ながら、所望の番組の番号を操作部２７によって、ステップＳＴ１１０３において入力する。目次表示に希望の番組がない場合には、使用者はステップＳＴ１１０４，ＳＴ１１０５，ＳＴ１１０６の処理により、他のテープに録画した番組の目次表示を使って番組番号を指定することができる。番組が指定されたら、システムコントロール回路２６はステップＳＴ１１０７において、メモリ２０から指定された番組の曜日，時刻，チャンネル，録画時間，録画モード，番組タイトル，ジャンルを読み出し、録画予約データとする。
【００７１】
以上の図１１の処理により、使用者はこれまでに録画した番組データを利用して、簡単に録画予約が行なえる。また現在ＶＴＲに挿入されているテープの番組目次を最初に表示するので、例えば一本のテープに毎週放送される番組を連続録画する場合に、予約の手続きがより簡単になり便利である。
【００７２】
図１２は、前記ステップＳＴ３５の録画予約処理の更に他の１例の詳細を示すフローチャートである。図１２の処理フローは、録画予約を目次画面上で行なうものである。ステップＳＴ１２０１で、使用者が操作部２７により録画予約を目次画面上で行なう旨を指示したら、ステップＳＴ１２０２において、システムコントロール回路２６はメモリ２０のデータを検索し、曜日，時刻，タイトルが一致する番組データを探し、過去の録画回数（
あるいは予約録画回数でもよい）の多い番組の番組データを、一覧表示する。一度に表示できない場合は、分割して表示してもよい。そして、次にステップＳＴ１２０３において
、使用者は操作部２７によって表示内容の中から希望の番組を選択し、これによりステップＳＴ１２０４において、システムコントロール回路２６は、指定された番組の曜日，時刻，チャンネル，録画時間，録画モード，番組タイトル，ジャンルを読み出し、録画予約データとする。
【００７３】
このように図１２の処理によると、使用者は過去に録画（あるいは予約録画）したことがある番組については予約データを入力する必要がない上、録画頻度が高い番組が優先的に目次表示されるので、予約録画の手続きが至って簡単になり便利である。
【００７４】
以上、テープ別あるいは録画頻度による番組を目次表示して、予約番組を選択する例について説明したが、その他、曜日別，チャンネル別，番組ジャンル別，あるいは録画日の近い順に、過去録画した番組データを目次表示して予約番組を選択することも考えられ、これらは本実施例において、図１のシステムコントロール２６による処理を変更することで、容易に実現できることは当業者には自明である。
【００７５】
また、本ＶＴＲで複数のテープ１１に録画をし終わった状態において、図２のステップＳＴ２で、使用者が操作部２７によって全目次表示を指示すると、システムコントロール回路２６は、ステップＳＴ３の処理によりメモリ２０より番組データを読み出し、録画されている番組の目次をテープ別に表示する。したがって、使用者は複数本のテープを１本づつ、本ＶＴＲに挿入して再生しなくても、各テープに録画されている番組の内容を知ることができる。
【００７６】
なお、使用者がステップＳＴ４２において電源を切った場合には、最後に再生した最新の情報信号を、システムコントロール回路２６またはメモリ２０に保持する。こうすることにより、使用者がテープ１１を本ＶＴＲに挿入したまま電源を切り、再びステップＳＴ１にて電源を入れた場合には、最後の情報信号は保持されているので、電源再投入後、予備再生およびテープ番号の識別を改めて行なう必要がない。この場合には電源再投入後、システムコントロール回路２６は、テープ挿入検出回路２４からの出力によりステップＳＴ４にてテープが挿入されていることを検出し、処理をステップＳＴ１６に移すので、予備再生およびテープ識別処理を省くことができ、処理を簡略化できる。
【００７７】
次に本ＶＴＲと同一機能を持つ他のＶＴＲで録画されたテープを、本ＶＴＲで再生する場合について説明する。
【００７８】
この場合には、テープ１１上に情報信号は記録されているが、メモリ２０には該当する番組データが記憶されていないので、まず使用者は目次データの作成を行なう。
【００７９】
テープ１１の挿入後の予備再生ステップＳＴ６およびＳＴ１０では、記録されている情報信号は再生されるがメモリ２０には該当するデータは記憶されていないので、ステップＳＴ９およびＳＴ１３では一致データは検出されず、処理はステップＳＴ１８に移る。ここで、使用者によりテープ登録を行なうことが操作部２７によって指示されると、システムコントロール回路２６はステップＳＴ１９にて新しいテープ番号を割り当てる。次にステップＳＴ２０において使用者が操作部２７より目次作成を指示すると、システムコントロール回路２６はステップＳＴ２１にて目次作成処理を行なう。
【００８０】
図１３は、上記ステップＳＴ２１の目次作成処理の詳細を示すフローチャートである。この図１３の処理フローについて説明する。システムコントロール回路２６は、まずステップＳＴ１３０１にてテープ１１を巻頭まで巻き戻す。続いて、ステップＳＴ１３０２にて番組の通し番号を表す変数Ｎを１に初期化した後、ステップＳＴ１３０３にてテープの再生をスタートする。ステップＳＴ１３０４は番組の冒頭部分を検出する処理である。具体的には録画時にコントロールヘッド１４により記録されたコントロール信号を、同ヘッド１４およびコントロール信号再生処理回路２３により再生し、コントロール信号に付加された頭出し信号を検出する。なお、この頭出し信号の検出の代りに、情報信号の日時が不連続である個所を検出するようにしてもよい。システムコントロール回路２６は、番組のこの冒頭部分を検出したら、ステップＳＴ１３０５においてテープ番号と番組冒頭部分の情報信号をメモリ２０に記憶する。この際、タイムコードが記録されていない場合には
、リール回転から計算したテープ走行時間をメモリ２０に記憶する。
【００８１】
使用者は再生された映像信号を見ながら、番組タイトル（あるいはジャンル、あるいはそれら両方でもよい。以下、同様。）を入力したい場合には、ステップＳＴ１３０６にて
その旨を操作部２７から指示する。そして、システムコントロール回路２６は、ステップＳＴ１３０７にて、使用者が操作部２７から入力したタイトル情報をメモリ２０に記憶する。使用者がタイトルを入力しない場合はこの処理は省略される。システムコントロール回路２６は、次にステップＳＴ１３０８にて番組番号Ｎをインクリメントし、ステップＳＴ１３０９にて次の番組の頭出しを開始する。この間、ステップＳＴ１３１０にてテープエンドが検出されなければ、ステップＳＴ１３０４に戻って上述の動作を繰返し、録画されている各番組について順次、データをメモリ２０に記憶していく。
【００８２】
以上の動作により、テープに記録されている番組のデータが順次メモリ２０に記憶される。また、タイムコードが記録されていないテープに対しても目次を作成することができる。また、ステップＳＴ１３０５の処理において、（Ｎ＋１）番目の番組の冒頭部分の検
出時にＮ番目の番組の記録終了時の情報や記録時間を計算してメモリ２０に記憶するようして、目次表示時にこれらの情報を表示できるようにしてもよい。なお、タイトルの入力は図２のステップＳＴ３６とＳＴ３７により別途行なうことも可能であるので、ステップＳＴ１３０６とＳＴ１３０７の処理は省いてもよい。
【００８３】
図１４は、本発明の第２実施例に係るＶＴＲの要部回路構成を示すブロック図である。同図において、３４は入力信号に情報信号が多重されているか否かを検出する情報信号有無検出回路、３５は情報信号有無検出回路３４の出力結果に従って、情報信号記録処理回路４からの情報信号を情報信号多重回路７へ出力するか否かを制御するスイッチ回路、３６はタイトル信号発生回路である。その他の構成要素は図１の実施例と同じであり、同一の部分には同一の符号を付しているので、その説明は省略する。
【００８４】
図１の実施例では、日付や時刻、番組のタイトルなどの情報信号を、本ＶＴＲ内部で発生するか使用者が入力して映像信号に多重するものとしたが、映像信号の供給側の装置の処理（例えば放送局の処理や他のＶＴＲなどの映像信号発生源の処理）により、あらかじめ情報信号が多重された映像信号が本ＶＴＲに入力される場合が考えられる。以下の説明では、ＶＴＲに入力される映像信号には、日付，時刻，番組タイトルなどの情報信号があらかじめ多重されているものと、多重されていないものがある場合について説明する。
【００８５】
図１４の実施例は、情報信号が多重されていない映像信号入力に対しては本ＶＴＲ内での情報信号の多重を行ない、情報信号があらかじめ多重された映像信号入力に対しては本ＶＴＲ内での情報信号の多重を行なわず、記録を行なうものである。
【００８６】
図１５は本第２実施例における録画処理の動作を示すフローチャートである。システムコントロール回路２６は、ステップＳＴ１５０２において情報信号有無検出回路３４からの出力により、入力された映像信号に情報信号が多重されているか否かを検出し、多重されている場合には、スイッチ回路３５を制御して情報信号多重回路７において入力信号の種類やチャンネル，日付，時刻，タイトルなどの情報信号の多重を行なわないようにする（ステップＳＴ１５０３）。但し、タイムコード信号は、垂直ブランキング期間内の既に
情報信号が多重されているのとは別の位置（例えば数走査線分離れた位置）へ多重する。逆に情報信号が検出されない場合には、ステップＳＴ１５０５において、入力信号の種類やチャンネル，日付，時刻あるいは使用者が入力したタイトル信号など、本ＶＴＲ内で発生した情報信号を映像信号に多重する。スイッチ回路１５は録画する信号を出力するごとく制御され（図１４中、上側の端子を選択）、情報信号再生処理回路１７により読み取っ
た情報信号，タイムコード値やテープのアドレス情報，および録画モードなどをメモリ２０に記憶し、番組データを作成する（ステップＳＴ１５０４，ＳＴ１５０６，ＳＴ１５０９）。
【００８７】
本第２実施例による図１５の処理によれば、放送局などの処理によりあらかじめ番組の情報が多重されている場合には、これを番組データとしてメモリ２０に自動的に記憶する
。よってこの場合には、使用者はタイトルなどを入力する必要はなく、目次作成の手続きが簡略化でき便利である。従って、使用者は番組情報が多重されていない場合にのみ、必要に応じてこれらを入力すればよいことになる。
【００８８】
図１６は、本第２実施例のＶＴＲにより放送中の番組の番組データを目次表示する処理のフローチャートである。ステップＳＴ１６０１にて使用者の処理実行指示を検出したら
、システムコントロール回路２６は、ＴＶチューナ５のチャンネルを順次切り替えながら
、情報信号再生処理回路１７により各チャンネルの映像信号に多重されている情報信号を読み取り、メモリ２０に記憶していくと共に、この内容を映像信号にスーパインポーズして表示するか、表示部２８に表示する（ステップＳＴ１６０３，ＳＴ１６０４，ＳＴ１６０５）。使用者が各チャンネルで放送している放送内容を調べたい場合、従来は使用者が
チャンネルを自分で切り換えながら放送内容を見て判断していたため面倒であったし、例えば、たまたまチャンネル切り換え時にＣＭ放送中の場合には番組の内容が判らなかったが、図１６の処理によれば、自動的にチャンネルを順次サーチして、放送局により映像信号に多重された情報信号から、その番組内容を文字で一覧表示できる。
【００８９】
なお、図１４の本第２実施例のその他の部分の回路動作やその動作処理の詳細は、第１実施例で説明した図１〜図１３と同じであり、本実施例においても先と同様の効果を奏するので、重複を避けるためその説明は省略する。
【００９０】
図１７は、本発明の第３実施例に係るＶＴＲの要部回路構成を示すブロック図である。図１４の第２実施例では、入力信号に情報信号が多重されているか否かを検出し、ＶＴＲ内での情報信号の多重を制御するものとしたが、図１７の本第３実施例は、多重されている情報信号を読み取り、テープへの記録時に読み取ったデータを再度多重し直すことを可能にしたものである。
【００９１】
図１７において、スイッチ回路１５の上側の端子には、情報信号多重回路７への入力信号が接続されており、情報信号再生処理回路１７は、本ＶＴＲに入力される映像信号に既に多重されている情報信号を読み取る。テープ１１への記録を行なう場合には、情報信号再生処理回路１７が読み取った日付，時刻、および番組タイトルのデータを、日付・時刻信号発生回路２、およびタイトル信号発生回路３６にそれぞれロードし、これにタイムコードを加えて映像信号に多重する。すなわち、日付と時刻、番組タイトルはあらかじめ入力信号に多重されていた情報と同じ情報が多重されることになる。この際、入力信号から読み取った情報信号を一旦保持しておいて、次の垂直ブランキング期間に多重するようにすれば、情報信号を多重する走査線の位置を変えることなくテープ１１に記録することができる。
【００９２】
本第３実施例によれば、録画する際に情報信号を新たに記録し直すので、情報信号の波形劣化による誤動作を防ぐことができる。またその際に、日時やタイトル情報はそのまま記録されるが、タイムコードは録画テープの位置情報と対応した値が記録されるので、例えば、情報信号の多重機能を持つビデオカメラ一体型ＶＴＲで録画した映像を本ＶＴＲにより編集しながら録画する場合など、録画日時やタイトルは変更されないが、タイムコードによるテープの管理は行なえる
【符号の説明】
【００９３】
２  日付・時刻信号発生回路
３  タイムコード信号発生回路
４  情報信号記録処理回路
７  情報信号多重回路
８  映像信号記録・再生処理回路
１１  磁気テープ
１２，１３  磁気ヘッド
１７  情報信号再生処理回路
１８  文字信号加算回路
１９  文字信号発生回路
２０  メモリ
２６  システムコントロール回路
３４  情報信号有無検出回路
３６  タイトル信号発生回路
【図１】
2010020895.tif 000003
【図２】
2010020895.tif 000004
【図３】
2010020895.tif 000005
【図４】
2010020895.tif 000006
【図５】
2010020895.tif 000007
【図６】
2010020895.tif 000008
【図７】
2010020895.tif 000009
【図８】
2010020895.tif 000010
【図９】
2010020895.tif 000011
【図１０】
2010020895.tif 000012
【図１１】
2010020895.tif 000013
【図１２】
2010020895.tif 000014
【図１３】
2010020895.tif 000015
【図１４】
2010020895.tif 000016
【図１５】
2010020895.tif 000017
【図１６】
2010020895.tif 000018
【図１７】
2010020895.tif 000019
【手続補正書】
【提出日】平成21年9月7日(2009.9.7)
【手続補正２】
【補正対象書類名】特許請求の範囲
【補正対象項目名】全文
【補正方法】変更
【補正の内容】
【特許請求の範囲】
【請求項１】
テレビジョン放送のチャンネルを選局して受信する受信手段と、
該受信したテレビジョン放送に多重された番組情報を抽出して記憶する記憶手段と、
記憶手段に記憶した番組情報を読み出して表示画面に表示する表示手段と、を備え、
チャンネル変更のたびに選局されたチャンネルの番組情報を記憶することにより複数のチャンネルの番組情報を該表示画面に表示すること特徴とするテレビジョン放送受信装置。
【請求項２】
請求項１記載のテレビジョン放送受信装置において、複数の番組情報を抽出して記憶するためのチャンネルスキャンを自動的に行うことを特徴とするテレビジョン放送受信装置。
【請求項３】
請求項１もしくは請求項２記載のテレビジョン放送受信装置において、該番組情報は番組のタイトルを含むことを特徴とするテレビジョン放送受信装置。